(57)【要約】【課題】デジタル一眼レフカメラにおいて、ＮＦＣ通信装置を内蔵しつつ、小型で使い勝手の良いカメラを提供すること。【解決手段】撮影光束を電気信号に変換する撮像手段と、撮影光束を遮蔽、開放選択可能なシャッターと、撮影光束を反射させるミラーと、前記ミラーを回動可能に保持するミラーボックスと、前記ミラーボックスの左右どちらかに隣接して配設されたシャッターもしくはミラーの駆動手段と、前記ミラーボックス下に配設された焦点検出手段と、前記駆動手段の下で、かつ前記焦点検出手段に隣接して配設された無線通信手段を具備した撮像装置において、前記無線通信手段は、電気素子が実装されたフレキ基板と、前記フレキ基板が固定され、前記電気素子に相当する凹部が設けられたベースから成ることを特徴とする構成とした。【選択図】  図３
2015203823.tif 000002
【特許請求の範囲】
【請求項１】
撮影光束を電気信号に変換する撮像手段（７）と、
撮影光束を遮蔽、開放選択可能なシャッター（６）と、
撮影光束を反射させるミラー（５ａ）と、
前記ミラーを回動可能に保持するミラーボックス（２）と、
前記ミラーボックスの左右どちらかに隣接して配設されたシャッター（６）もしくはミラー（５ａ）の駆動手段（２３）と、
前記ミラーボックス下に配設された焦点検出手段（８）と、
前記駆動手段（２３）の下で、かつ前記焦点検出手段（８）に隣接して配設された無線通信手段（２５）を具備し、
前記無線通信手段（２５）は、電気素子（３７）が実装されたフレキ基板（３６）と、
前記フレキ基板（３６）が固定され、前記電気素子（３７）に相当する凹部が設けられたベース（３２）から成ることを特徴とする撮像装置。
【請求項２】
前記無線通信手段は近距離無線装置であることを特徴とする請求項１に記載の撮像装置。
【請求項３】
前記ベースは非導電部材で構成されていることを特徴とする請求項１又は請求項２に記載の撮像装置。
【請求項４】
前記ベース及び前記フレキ基板の間に、前記電気素子に相当する穴部が設けられた軟磁性体が配設されていることを特徴とする請求項１乃至請求項３の何れか一項に記載の撮像装置。
【請求項５】
前記無線通信装置の周囲を覆う外装カバーは非導電性の部材で構成されていることを特徴とする請求項１乃至請求項４の何れか一項に記載の撮像装置。
【請求項６】
前記無線通信装置は撮像装置を保持する際に握るグリップ部と前記ミラーボックスを挟んで反対側に配設されていることを特徴とする請求項１乃至請求項５の何れか一項に記載の撮像装置。
【請求項７】
前記グリップ部は導電性の部材で構成されていることを特徴とする請求項１乃至請求項６の何れか一項に記載の撮像装置。
【請求項８】
前記グリップ部は外装面をエラストマーで構成されていることを特徴とする請求項１乃至請求項７の何れか一項に記載の撮像装置。
【請求項９】
前記駆動手段の被写体側に前記無線通信手段とは異なるもう一つの無線通信手段を備えたことを特徴とする請求項１乃至請求項８の何れか一項に記載の撮像装置。
【発明の詳細な説明】
【技術分野】
【０００１】
本発明は、無線通信装置を備えた撮像装置に関し、特に近距離無線通信装置のレイアウト及び構成に関するものである。
【背景技術】
【０００２】
近年、無線通信装置を備えＰＣ（Ｐｅｒｓｏｎａｌ  Ｃｏｍｐｕｔｅｒ）や外部メモリ、携帯電話とのデータの通信や、設定の通信、装置の作動等を行う撮像装置が普及している。特にＷｉ−Ｆｉ（Ｗｉｒｅｌｅｓｓ  Ｆｉｄｅｌｉｔｙ）規格に準拠したＷｉ−Ｆｉ通信装置を備えたデジタルカメラやデジタル一眼レフカメラが登場し、外部とのデータ通信に通信用の接続ケーブルを用意する必要がないなど利便性が高いことから、一般に普及している。
【０００３】
また、更に近距離無線通信装置、特にＮＦＣ（Ｎｅａｒ  Ｆｉｅｌｄ  Ｃｏｍｍｕｎｉｃａｔｉｏｎ）通信規格に準拠したＮＦＣ通信装置を備えた撮像装置も登場している。このような撮像装置が、ＮＦＣ通信装置を備えた外部メモリや携帯電話などと近距離（〜十数ｃｍ）に近づくとＮＦＣ通信を行い、双方のＷｉ−Ｆｉ通信装置での接続を始動したりするなどの、所定の動作の始動などを行うことができる。このため、使用者はＷｉ−Ｆｉ通信のための煩雑な設定をすることがなく、使い勝手がよい。
【０００４】
このような状況において、装置内での近距離無線通信装置の好適なレイアウト及び構成に関する技術が多く開示されている。特許文献１では無線通信用のアンテナ部の非伝送面側に透磁率の高い磁性部材を貼り付けることが提案されている。アンテナ部は、金属シールド上に設けられた板状の磁性部材と、板状の磁性部材の上面に貼り付けられたアンテナコイルとを具備する。アンテナコイルが発生する磁束は専ら磁性部材を通過するため、磁性部材が貼り付けられた側（非伝送面側）に磁束が広がらず、磁性部材が貼り付けられていない側（伝送面側）では磁束が遠くまで届く（指向性を有する）。金属シールドとアンテナコイルとの間に磁性部材が介在するので、寄生容量が形成されず、金属シールドに生じる渦電流も低減できるとしている。
【０００５】
また、特許文献２では無線通信用のアンテナ部をデジタルカメラの操作時にアンテナ特性が損なわれない位置に配置することで、安定した無線通信環境を提供できるデジタルカメラが提案されている。
【先行技術文献】
【特許文献】
【０００６】
【特許文献１】特開２００４‐１６６１７５号公報
【特許文献２】特開２００２‐３１４８６２号公報
【発明の概要】
【発明が解決しようとする課題】
【０００７】
しかしながら、上述の特許文献１に開示された従来技術では、金属シールド、磁性部材は平板状であるため、アンテナコイル部に電気部品を実装した場合、金属シールド、磁性部材と電気部品が干渉してしまい、これら金属シールド、磁性部材、アンテナコイルを積層した際、電気部品分の高さが増してしまい、通信部のスペースを取ってしまうという課題があった。
【０００８】
また、特許文献２に開示された従来技術では、いわゆるデジタルコンパクトカメラにおける無線通信手段であるアンテナ部のレイアウトについては述べられているが、デジタル一眼レフカメラにおける無線通信手段のレイアウトについては述べられていない。
また、デジタル一眼レフカメラに、無線通信装置を内蔵する場合、カメラサイズを従来よりも大型化したくないという課題があった。
【０００９】
また、カメラにＮＦＣ通信装置を内蔵する場合、カメラのグリップ部を手でホールドし通常のカメラ撮影状態と同じ姿勢（正位置）で保持した状態で、静置された外部メモリ、携帯電話などのＮＦＣ通信部に対し、カメラのＮＦＣ通信部を近接させるために利便性の良い位置にＮＦＣ通信装置をレイアウトしたいという課題があった。
【００１０】
また、カメラに無線通信装置、ＮＦＣ通信装置を具備する場合、外部と電磁波で通信するために、付近のカメラ外装を非導電性樹脂などの電磁波を透過する部材で構成する必要があった。
【００１１】
また、上記のように無線通信性能が損なわれない外装構成としながら、カメラ内部から放射する電磁波ノイズを低減し、電気ＥＭＩ特性に優れるカメラを提供する必要があった。
【００１２】
そこで、本発明の目的は、デジタル一眼レフカメラにおいて、ＮＦＣ通信装置を内蔵しつつ、小型で使い勝手の良いカメラを提供することである。
【課題を解決するための手段】
【００１３】
上記目的を達成するための本発明に係る撮像装置の構成は、撮影光束を電気信号に変換する撮像手段と、撮影光束を遮蔽、開放選択可能なシャッターと、撮影光束を反射させるミラーと、前記ミラーを回動可能に保持するミラーボックスと、前記ミラーボックスの左右どちらかに隣接して配設されたミラーもしくはシャッターの駆動手段と、前記ミラーボックス下に配設された焦点検出手段と、前記駆動手段の下で、かつ前記焦点検出手段に隣接して配設された無線通信手段を具備した撮像装置において、前記無線通信手段は、電気素子が実装されたフレキ基板と、前記フレキ基板が固定され、前記電気素子に相当する凹部が設けられたベースから成ることを特徴とする。
【発明の効果】
【００１４】
本発明によれば、デジタル一眼レフカメラにおいて、ＮＦＣ通信装置を内蔵しつつ、小型で使い勝手の良いカメラを提供することができる。
【図面の簡単な説明】
【００１５】
【図１】本発明の実施形態によるデジタル一眼レフカメラの内部構成を示すカメラ本体縦断面概略図
【図２】本発明の実施形態によるデジタル一眼レフカメラの内部構成を示すカメラ内部正面図
【図３】本発明の実施形態によるデジタル一眼レフカメラのＮＦＣ通信ユニットの構成を示すカメラ内部詳細図
【図４】本発明の実施形態によるデジタル一眼レフカメラの外観構成を示すカメラ正面図
【発明を実施するための形態】
【００１６】
以下に、本発明の好ましい実施形態によるデジタル一眼レフカメラについて添付の図面に基づいて詳細に説明する。図１は、本発明の実施形態によるデジタル一眼レフカメラの内部構成を示すカメラ本体縦断面概略図である。
【００１７】
１はデジタル一眼レフカメラのカメラ筐体、２はミラーボックスであり、密接固定されたマウント３を介して撮影レンズ４を着脱可能に保持している。また、後述のシャッター６、ＡＦセンサユニット８、主ミラー５ａ及びサブミラー５ｂからなるミラーユニット５なども保持している。
【００１８】
マウント接点３ａは撮影レンズ４へ電力供給、レンズ駆動指令の通信を行うためのインターフェイス部である。
【００１９】
撮影レンズ４は、内部にフォーカスレンズ群やズーム手段であるところのレンズ群４ａ、複数枚の絞り羽根から成る絞り装置４ｂ、前述のカメラ側のマウント接点３ａに接続し、カメラ側からの電力供給、レンズ群の駆動指令の通信などを行うためのレンズ側マウント接点４ｃを有する。
【００２０】
図１では各レンズ群４ａを便宜上１枚ずつのレンズで図示したが、実際には多数のレンズにより複雑なレンズ群の組み合わせで構成されている。
【００２１】
５ａはハーフミラーで構成されたミラーとしての主ミラーであり、カメラの動作状態に応じて回動可能となっており、被写体をファインダーで観察する時は撮影レンズ４を介して導光される撮影光路へ斜設され、撮影レンズ４からの光束を上部へ折り曲げて後述のファインダー光学系へ導き、撮影する時は撮影光路から上部へ退避して、撮影レンズ４からの光束を後述の撮像素子７へ導いている。
【００２２】
６は撮影レンズ４からの光束を後述の撮像素子７に入射制御するためのシャッターである。静止画・動画撮影中及びライブビュー状態ではシャッター６は開口しており、光束は撮像素子７に入射している。
【００２３】
７はＣＭＯＳセンサを用いた撮像手段としての撮像素子であり、撮影レンズ４を透過した光束を画像信号に変換蓄積する。
【００２４】
５ｂは主ミラー５ａとともに回動するサブミラーであり、主ミラー５ａが撮影光路へ斜設されている時に主ミラー５ａを透過した光束を下部へ折り曲げて後述のＡＦセンサ８へ導き、主ミラー５ａが撮影光路から上部へ退避しているときは、ともに退避し、光束を撮像素子７へ導いている。主ミラー５ａ、サブミラー５ｂで構成される反射光学系をミラーユニット５と称する。
【００２５】
８は焦点検出手段としてのＡＦセンサユニットであり、２次結像レンズや複数のＣＣＤからなるエリアセンサ等から構成されており、前述のサブミラー５ｂにより下部へ折り曲げられた光束を受光し、周知の位相差方式で焦点検出可能となっている。上記のように、ＡＦセンサユニット８はミラーボックス２の下部に配設されている。
【００２６】
９は撮影レンズ４の一次結像面に配置されたピント板であり、入射面にはフレネルレンズ（集光レンズ）が設けられ、射出面には被写体像（ファインダー像）が結像している。
【００２７】
１０はファインダー光路変更用のペンタプリズムであり、ピント板９の射出面に結像した被写体像を正立正像に補正することで、撮影者に被写体像を観察可能にする。
【００２８】
１１、１２は接眼レンズである。ここで、ピント板９、ペンタプリズム１０、接眼レンズ１１、１２により構成されている光学系をファインダー光学系２２と称する。
【００２９】
１３はＡＥセンサであり、多分割された撮影画面内の各領域に対応したフォトダイオードから構成されており、ピント板９の射出面に結像した被写体像の輝度を測定する。
１４は撮影した画像や各種の撮影情報を表示する液晶モニタである。
【００３０】
１５は記録装置であり、撮像素子７で変換蓄積された画像信号をＡ／Ｄ変換したのち、メディアカードへ書き込むための装置である。
【００３１】
図２は、本発明の実施形態によるデジタル一眼レフカメラの内部構成を示すカメラ内部正面図である。図２は、カメラ本体を覆う外装カバーを取り除いた状態を示している。図２において破線で示している範囲は、その部位の概略の構成範囲を示しているものである。
【００３２】
２１はカメラを作動するのに必要な電力を供給する電池を下部から挿入し、保持するための電池ボックスである。電池ボックス２１は、ミラーボックス２に対して後述の駆動ユニット２３と反対側に設けられている。
【００３３】
２２は図１におけるファインダー光学ユニットである。２３はミラーユニット５及び図１におけるシャッター６を駆動するための駆動手段としての駆動ユニットである。駆動ユニット２３は、図２のようにミラーボックス２の脇に隣接して配設されている。
【００３４】
図１で述べたように、ＡＦユニット８は、ミラーボックス２の下部に配設されている。
２４は、駆動ユニット２３の被写体側に配設されたＷｉ‐Ｆｉ通信ユニットである。Ｗｉ‐Ｆｉ通信ユニット２４は、外部のＷｉ‐Ｆｉ装置を具備した外部メモリや、ＰＣ（Ｐｅｒｓｏｎａｌ  Ｃｏｍｐｕｔｅｒ）、携帯電話と無線通信を行うことで、画像データを伝達したり、ＰＣや携帯電話からカメラの操作を行ったりする。２５は無線通信手段としてのＮＦＣ通信ユニットである。
【００３５】
ＮＦＣ通信ユニット２５は、外部のＷｉ‐Ｆｉ装置を具備した外部メモリや、携帯電話などとＮＦＣ通信ユニット２５の距離が近距離（〜十数ｃｍ）に近づくと通信を行い、Ｗｉ‐Ｆｉユニット２４を作動し、外部メモリ、携帯電話との無線通信を始動したりするなどの、所定の動作を行う。
【００３６】
このようにＮＦＣ通信ユニット２５を、ミラーボックス２の脇に隣接して配設された駆動ユニット２５の下部であって、ミラーボックス２の下部に配設されたＡＦユニット８の脇の空間に配設することで、カメラサイズを従来よりも大型化せずに、無線通信装置であるＮＦＣ通信ユニットを内蔵することが可能である。
【００３７】
図３は、本発明の実施形態によるデジタル一眼レフカメラのＮＦＣ通信ユニットの構成を示すカメラ内部詳細図である。図３は、図２と同様カメラ本体を覆う外装カバーを取り除いた状態を示している。また、カメラ正面より斜め下側から仰視した状態を示している。
【００３８】
３１はカメラ本体であり、電池ボックス２１を構成し、Ｗｉ‐Ｆｉ通信ユニット保持部２４ａを介してＷｉ‐Ｆｉ通信ユニット２４を保持固定している。３２は非導電性樹脂で構成されたＮＦＣベースである。ＮＦＣベース３２は爪部３２ａをカメラ本体３１の凸部３１ａに引掛け、穴部３２ｂを固定ネジ３３で締結することでカメラ本体３１に固定している。
【００３９】
３４は導電パターンが配線されているフレキシブルプリント基板（以下フレキ）である駆動フレキであり、底面側でカメラ本体３１とＮＦＣベース３２の間に這い回されている。駆動フレキ３４は、駆動ユニット２３とカメラ本体３１の背面側に配設されている不図示のメイン基板を接続し、メイン基板から駆動ユニット２３を駆動するための駆動信号の伝達を行う。また、駆動フレキ３４の底面側には複数のチェックパッド３４ａが配列されている。チェックパッド３４ａは、駆動フレキ３４の複数の信号線が円形に露出してものであり、工場やサービスなどで冶具を使用して接続することで、駆動ユニットの調整、検査を行う。チェックパッド３４ａは、非導電樹脂製のＮＦＣベース３２で底面側を覆う構成にしているため、他に特別な絶縁部品を設けなくてもカメラ内で他部品とショートすることがない。
【００４０】
３５は磁性金属粉をシート状に焼成して構成した磁性シートである。磁性シート３５の底面側には両面テープが貼り付けられており、後述のＮＦＣフレキ３６の上面側に粘着固定されている。
【００４１】
３６はアンテナパターンが配線されたフレキ基板としてのＮＦＣフレキである。ＮＦＣフレキ３６は、カメラ本体３１の背面側に配設されている不図示のメイン基板に接続しており、所定の信号を送受信することでＮＦＣ通信を行う。
【００４２】
磁性シート３５が粘着固定されたＮＦＣフレキ３６は、ＮＦＣフレキ穴部３６ａをＮＦＣベース３２のダボ部に圧入することで固定され、ユニット化される。このＮＦＣベース３２、磁性シート３５、ＮＦＣフレキ３６でＮＦＣ通信ユニット２５を構成する。
【００４３】
３７はＮＦＣフレキ３６上に表面実装されている電気素子としてのコンデンサである。コンデンサ３７はＮＦＣ通信ユニット２５で行うＮＦＣ通信の通信感度を調整する。
【００４４】
ここで、磁性シート３５にはＮＦＣフレキ３６上のコンデンサ３７を避けるように切り欠き穴３５ａが設けられている。また、同様にＮＦＣベース３２にはコンデンサ３７を避けるように凹部３２ｃが設けられている。このため、これらＮＦＣベース３２、磁性シート３５、ＮＦＣフレキ３６を積み重ねてＮＦＣ通信ユニット２５として構成した際に、コンデンサ３７と、磁性シート３５、ＮＦＣベース３２が干渉することなく、ＮＦＣ通信ユニット２５自体を薄型化できる。このようにＮＦＣ通信ユニットを構成することで、カメラサイズを従来よりも大型化せずに、ＮＦＣ通信装置を内蔵することが可能である。
【００４５】
図４は本発明の実施形態によるデジタル一眼レフカメラの外観構成を示すカメラ正面図である。図４では外装カバーを取り付けた状態を示している。
【００４６】
４１は非導電性樹脂で構成された前カバーであり、一点鎖線で示した領域を覆っている。ここで、図２、図３で述べたＷｉ‐Ｆｉ通信ユニット２４およびＮＦＣ通信ユニット２５の付近の外装（破線で示した範囲）もこの前カバーが覆うように構成されている。このように無線通信を行うユニットの付近を電磁波透過性の良い外装カバーが覆う構成としたため、外装カバーによって電磁波である無線通信信号が遮蔽されたり、減衰されたりすることがない。このため、無線通信性能が損なわれることがないカメラを提供することができる。
【００４７】
４２はカメラの撮影や各操作部材を操作する際に手で握ってホールドするためのグリップ部である。ここでＮＦＣ通信ユニット２５は、カメラ底面側で且つグリップ部とミラーボックスを挟んで反対側に配設されている。このため、カメラのグリップ部を手でホールドし通常のカメラ撮影状態と同じ姿勢（正位置）で保持した状態で、静置された外部メモリ、携帯電話などのＮＦＣ通信部に対し、カメラのＮＦＣ通信ユニット２５を容易に近接させることができ、ＮＦＣ通信を行うのに利便性の良いカメラを提供することができる。
【００４８】
またグリップ部４２は、外観面側を熱可塑性エラストマー、内面側を導電性樹脂の二色成型部品で構成されており、前カバー４１に不図示の固定ネジで締結して固定保持している。このような構成とすることで、Ｗｉ‐Ｆｉ通信ユニット２４およびＮＦＣ通信ユニット２５の付近などの無線通信を行うユニットの付近を非導電性樹脂の外装カバーで覆い無線通信性能が損なわれない構成としつつ、カメラ内部から放射する電磁波ノイズの一部を遮蔽し、電気ＥＭＩ特性に優れるカメラを提供することができる。
【００４９】
以上述べた実施形態のように構成することで、デジタル一眼レフカメラにおいて、ＮＦＣ通信装置を内蔵しつつ、小型で使い勝手の良いカメラを提供することができる。
【００５０】
以上、本発明の好ましい実施形態について説明したが、本発明はこれらの実施形態に限定されず、その要旨の範囲内で種々の変形及び変更が可能である。
【符号の説明】
【００５１】
１  カメラ筐体、２  ミラーボックス、３  マウント、３ａ  マウント接点、
４  撮影レンズ、５  ミラーユニット、５ａ  主ミラー、５ｂ  サブミラー、
６  シャッター、７  撮像素子、８  ＡＦセンサユニット、９  ピント板、
１０  ペンタプリズム、１１，１２  接眼レンズ、１３  ＡＥセンサ、
１４  液晶モニタ、１５  記録装置、２１  電池ボックス、
２２  ファインダー光学ユニット、２３  駆動ユニット、
２４  Ｗｉ‐Ｆｉ通信ユニット、２５  ＮＦＣ通信ユニット、３１  カメラ本体、
３２  ＮＦＣベース、３３  固定ネジ、３４  駆動フレキ、３５  磁性シート、
３６  ＮＦＣフレキ、３７  コンデンサ、４１  前カバー、４２  グリップ部
【図１】
2015203823.tif 000003
【図２】
2015203823.tif 000004
【図３】
2015203823.tif 000005
【図４】
2015203823.tif 000006